(57)【要約】ＨＯ−（疎水成分）x−（親水成分）y−（疎水成分）x−Ｈの構造を有する疎水ブロックおよび親水ブロックのコポリマー（式中、xおよびyは、前記コポリマーの親水ブロックおよび疎水ブロックそれぞれを表す整数である）を含む界面活性剤を含むコンタクトレンズコンディショニング用の組成物。【特許請求の範囲】
【請求項１】
眼の組織と適合性のある緩衝剤あるいは眼の組織と適合性のある張度成分の少なくとも一方と、
ＨＯ−（疎水成分）x−（親水成分）y−（疎水成分）x−Ｈ
の構造を有する疎水ブロックおよび親水ブロックのコポリマー（式中、xおよびyは、前記コポリマーの親水ブロックおよび疎水ブロックそれぞれを表す整数である）を含む界面活性剤との水溶液を含むコンタクトレンズコンディショニング用の組成物であって、
前記界面活性剤が水溶液の０．８重量％より大きい、前記コンタクトレンズコンディショニング用の組成物。
【請求項２】
前記界面活性剤が第二級ヒドロキシル基で終端するポリオキシエチレン/ポリオキシプロピレンブロックコポリマーである、請求項１記載のコンタクトレンズコンディショニング用の組成物。
【請求項３】
ブロックコポリマーの親水成分がブロックコポリマーの５０重量％未満を構成する、請求項２記載のコンタクトレンズコンディショニング用の組成物。
【請求項４】
疎水性ブロックの分子量が１２００〜３１００である、請求項２記載のコンタクトレンズコンディショニング用の組成物。
【請求項５】
前記溶液が塩基性酢酸塩、リン酸塩、ホウ酸塩、硝酸塩、硫酸塩、酒石酸塩、乳酸塩、炭酸塩、重炭酸塩、およびその混合物からなる群から選択される緩衝剤を含み、前記緩衝剤が０．００１〜２％の範囲で存在している、請求項２記載のコンタクトレンズコンディショニング用の組成物。
【請求項６】
前記溶液が、前記溶液に５０〜４００mosmol/kgの張度を与える張度成分を含み、前記張度成分が眼の組織と適合性のある水溶性塩およびポリオールからなる群から選択される、請求項２記載のコンタクトレンズコンディショニング用の組成物。
【請求項７】
前記界面活性剤のＨＬＢが７より大きい、請求項２記載のコンタクトレンズコンディショニング用の組成物。
【請求項８】
眼の組織と適合性のある緩衝剤と、
張度成分と、
ＨＯ−（疎水成分）x−（親水成分）y−（疎水成分）x−Ｈ
の構造を有する疎水ブロックおよび親水ブロックのコポリマー（式中、xおよびyは、前記コポリマーの親水ブロックおよび疎水ブロックそれぞれを表す整数である）を含む界面活性剤との水溶液を含むコンタクトレンズコンディショニング用の組成物であって、
前記組成物が過酸化水素の消毒量を実質的に含まない、前記コンタクトレンズコンディショニング用の組成物。
【請求項９】
前記界面活性剤が第二級ヒドロキシル基で終端するポリオキシエチレン/ポリオキシプロピレンブロックコポリマーである、請求項８記載のコンタクトレンズコンディショニング用の組成物。
【請求項１０】
前記組成物が第四アンモニウム剤、重合体ビグアニド、塩化ベンザルコニウム、およびチメロサールの消毒有効量を実質的に含まない、請求項９記載のコンタクトレンズコンディショニング用の組成物。
【請求項１１】
過酸化水素、第四アンモニウム剤、重合体ビグアニド、塩化ベンザルコニウム、およびチメロサールからなる群から選択される防腐剤の非消毒量を更に含む、請求項１０記載のコンタクトレンズコンディショニング用の組成物。
【請求項１２】
親水成分がブロックコポリマーの約４０重量％を構成する、請求項９記載のコンタクトレンズコンディショニング用の組成物。
【請求項１３】
疎水成分の分子量がおおよそ１７００である、請求項９記載のコンタクトレンズコンディショニング用の組成物。
【請求項１４】
前記リン酸塩緩衝剤が一塩基性のリン酸塩、二塩基性のリン酸塩、およびその混合物からなる群から選択され、前記リン酸塩緩衝剤が０．００５％〜０．３０％の範囲で存在する、請求項９記載のコンタクトレンズコンディショニング用の組成物。
【請求項１５】
前記張度成分が前記溶液に５０〜４００のmosmol/kgの張度を与え、前記張度成分が眼の組織と適合性のある水溶性塩からなる群から選択される、請求項９記載のコンタクトレンズコンディショニング用の組成物。
【請求項１６】
前記組成物が、前記界面活性剤以外の界面活性剤を実質的に含まない、請求項９記載のコンタクトレンズコンディショニング用の組成物。
【請求項１７】
第二級ヒドロキシル基で終端するポリオキシエチレン/ポリオキシプロピレンブロックコポリマーを含む水溶液にコンタクトレンズを接触させるステップを含み、前記水溶液が実質的に過酸化水素の消毒量を含まないコンタクトレンズコンディショニング方法。
【請求項１８】
前記水溶液が、前記ポリオキシエチレン/ポリオキシプロピレンブロックコポリマー以外の界面活性剤を実質的に含まない、請求項１７に記載のコンタクトレンズコンディショニング方法。
【請求項１９】
前記ポリオキシエチレン/ポリオキシプロピレンブロックコポリマーのＨＬＢが７より大きい、請求項１７に記載のコンタクトレンズコンディショニング方法。
【発明の詳細な説明】
【技術分野】
【０００１】
発明の背景
本発明は、改良されたコンタクトレンズ用コンディショニング溶液に関するものである。より詳細には、本発明は、コンタクトレンズ表面をより湿らせ、タンパク質、脂質、およびその他の涙膜置換分がレンズ表面に付着し、沈着物を形成しないような溶液に関するものである。
【０００２】
コンタクトレンズは一般にプラスティックから成っており、それゆえ、疎水性、または撥水性を有する。コンタクトレンズの最初の使用以来、コンタクトレンズにより親水性を持たせたり、「湿らせた状態」にするために、コンタクトレンズに対してコンディショニング剤を使用する必要性が認識されていた。これらのコンディショニング剤の目的はレンズ表面をより湿らせた状態にして、タンパク質、脂質、およびその他の涙膜置換分がレンズ表面に付着し、沈着物を形成しないようにすることである。そのような沈着物は、レンズの快適性や安全性を低減させ、さらに、涙液がレンズ表面にわたって均一に広がることが大切なので、光学的な明瞭度を損なう。
【０００３】
界面活性剤は、挿入時の快適さやドライアイのような、コンタクトレンズ装用にまつわる問題を緩和するために、コンディショニング溶液に使用されている。界面活性剤はレンズ表面で吸着され、レンズが挿入されたとき涙が容易に広がることを可能にし、それによってコンタクトレンズの装用をより快適にする。代表的な湿潤剤や粘度調節剤は次のようなものを含んでいる。陽イオンセルロースポリマー、ヒドロキシプロピルメチルセルロース、ヒドロキシエチルセルロースおよびメチルセルロース等のセルロース誘導体、ポリエチレングリコール、グリセリンおよびポリエチレンオキシド（ＰＥＯ）含有ポリマー等のポリオール、ポリビニルアルコール、およびポリビニルピロリドンである。当業界においてよく知られているように、それらの添加剤は広範囲の濃度で使用することができる。しかし、これらの種類の剤はレンズに対して、有効な水準にまでは吸着しないので、快適性は長くは持続しない。
【０００４】
より長い間持続する快適性の水準を与えるポリマーは、より高い粘性をもたらすために、一般に高濃度で使用する必要があり、それによってポリマーがより長く保持される。しかし、これらの高粘度の剤を使用することによって、レンズを眼に入れたときに、視界がぼやけることがあり、さらにはユーザに対して、レンズが粘着する感じをもたらすことがあり、レンズの挿入と取り扱いを難しくする。より疎水性の強いポリマーは容易にレンズに吸着し、より低い濃度で配合され、より良い潤滑性を与える。しかし、より疎水性の強いポリマーの不都合な点は、ポリマーが沈着物の基質として作用することもあり、その結果レンズをさらに薄く覆い、脂質の沈着をこうむりやすい。
【０００５】
したがって、コンタクトレンズ表面をより湿った状態にし、タンパク質、脂質、およびその他の涙膜置換分がコンタクトレンズに付着して、沈着物を生じないようなコンディショニング溶液に対する要望が存在する。ハードコンタクトレンズ、酸素透過性ハード（ＲＧＰ）コンタクトレンズ、およびヒドロゲルの（ソフト）コンタクトレンズにも使用しうるようなコンディショニング溶液に対するさらなる要望も存在する。そのようなコンディショニング溶液は、現在必要とされる洗浄作用を大いに向上させる。
【０００６】
現在既知の多数のコンタクトレンズ用コンディショニング溶液は多数の界面活性剤を含有している。そのようなコンディショニング溶液は効果的だが、多くの成分を必要とするために、製造および調整工程を複雑にしている。したがって、有効なコンディショニング効果を与えるただ一つだけの界面活性剤を含有する溶液は、多成分のシステムに対して有利である。
【０００７】
たとえば、Zhangらの米国特許第５，７７３，３９６号は二つの界面活性剤を含有するコンタクト洗浄・湿潤溶液を開示している。二つの界面活性剤のうち、一つはＨＬＢが１８より小さく、もう一つはＨＬＢが１８より大きい。このコンタクト溶液は、セルロース物質のような追加の湿潤剤をも含有している。ここで開示されている全てのポリオキシエチレン/ポリオキシプロピレンブロックコポリマーは、第一級ヒドロキシル基で終端する。
【０００８】
Wintertonらの米国特許第５，２０９，８６５号は二つの界面活性剤を含有するコンタクトレンズコンディショニング溶液を開示している。このうち、一つのポロキサミンはＨＬＢが７以下であり、ポロキサマーもＨＬＢが７以下である。ここで開示されている全てのポリオキシエチレン/ポリオキシプロピレンブロックコポリマーは、第一級ヒドロキシル基で終端する。
【０００９】
ただ一つの界面活性剤を含有する消毒溶液は当業界において周知である。しかし、界面活性剤はレンズをコンディショニングするためではなく、溶液の抗菌効力を向上させるために使用される、さらに、出願人に既知のどの出版文献も、第二級ヒドロキシル基で終端するポリオキシエチレン/ポリオキシプロピレンブロックコポリマーを含有するコンディショニング溶液を教示していない。
【００１０】
国際公開ＷＯ９２/１６２４４号は、非イオン性界面活性剤、好ましくはＰＥＧ２４（登録商標）のようなポリエチレングリコール脂肪アルコールエーテルを含有する、抗菌特性が向上した消毒溶液を教示している。コンディショニング特性の向上、あるいはポリオキシエチレン/ポリオキシプロピレンブロックコポリマーについては、何ら言及されていない。
【００１１】
国際公開ＷＯ００/３５５００号は、重合体ビグアニドの安定性が向上した消毒溶液を教示している。この消毒溶液は少なくとも２７のＨＬＢ値を有するポロキサミン（poloxaamine）界面活性剤を含有している。コンディショニング特性の向上、あるいはポリオキシエチレン/ポリオキシプロピレンブロックコポリマーについては、何ら言及されていない。
【００１２】
発明の概略
本発明は、一面においては、眼の組織と適合性のある緩衝剤あるいは眼の組織と適合性のある溶液成分の少なくとも一方と、
ＨＯ−（疎水成分）x−（親水成分）y−（疎水成分）x−Ｈ
の構造を有する疎水ブロックおよび親水ブロックのコポリマー（式中、xおよびyは、前記コポリマーの親水ブロックおよび疎水ブロックそれぞれを表す整数である）を含む界面活性剤との水溶液を含むコンタクトレンズコンディショニング用の組成物であって、
前記界面活性剤が水溶液の０．８重量％より大きい、前記コンタクトレンズコンディショニング用の組成物に関するものである。
【００１３】
そのような界面活性剤は、広く“Poloxamers”として既知であり、“pluronic R”（登録商標）（BASF）という商標のもとで扱われていて、一般に、約１８００と約９０００の間の分子量を有している。
【００１４】
本発明の界面活性剤は、当業界において周知の利点を与える。なぜなら、ポリマーのより疎水性の強い部分がより容易にレンズに吸着し、より低い濃度で処方されてより良い潤滑性を与えるからである。しかし、それらの界面活性剤は既知の界面活性剤の不都合な点を克服する。なぜなら、ポリマーの親水性の強い部分が沈着物の基質として作用しないからである。したがって、本発明の溶液は、レンズ表面上に、タンパク質や脂質が非常に小さい親和性しか有しない、均一な親水性膜を形成する。このように、本発明の溶液に接触されたコンタクトレンズは、レンズに対して予防効果を与えるコーティングを有することとなる。
【００１５】
したがって、本発明の目的は、コンタクトレンズ表面をより湿った状態にし、タンパク質、脂質、その他の涙膜置換分がレンズ表面に付着して、沈着物が形成されにくくなるようなコンディショニング溶液を提供することである。
【００１６】
本発明のさらなる目的は、ハードコンタクトレンズ、酸素透過性ハード（ＲＧＰ）コンタクトレンズ、およびソフトコンタクトレンズに使用することができるような溶液を提供することである。別の面においては、本発明は、眼の組織と適合性のある緩衝剤、張度成分、および
ＨＯ−（疎水成分）x−（親水成分）y−（疎水成分）x−Ｈ
の構造を有する疎水ブロックおよび親水ブロックのコポリマー（式中、xおよびyは、前記コポリマーの親水ブロックおよび疎水ブロックそれぞれを表す整数である）を含む界面活性剤との水溶液を含むコンタクトレンズコンディショニング用の組成物であって、
前記組成物が過酸化水素の消毒量を実質的に含まない、前記コンタクトレンズコンディショニング用の組成物に関するものである。
【００１７】
さらに、本発明は、第二級ヒドロキシル基で終端するポリオキシエチレン/ポリオキシプロピレンブロックコポリマーを含む水溶液にコンタクトレンズを接触させるステップを含むコンタクトレンズをコンディショニングする方法であって、前記水溶液が過酸化水素の消毒量を実質的に含まない前記方法に関するものである。
【００１８】
（好適な実施形態の詳細な説明）
本発明は、コンタクトレンズ表面の涙膜沈着物の発生を防ぎ、および/または遅らせるに際しての予防措置を提供する。その成分は、レンズ表面上に、タンパク質や脂質が非常に小さな親和性しか示さない、均一な親水性フィルムを形成する。さらに、いくらか少量の涙膜置換分がフィルムに付着するが、適当なコンタクトレンズクリーナーでコンタクトレンズを指先で洗浄することによって、保護膜は犠牲的に除去され、それとともに粘着性も失われる。犠牲フィルムの除去が事実上完了し、コンタクトレンズはその本来の清潔な状態に「再生」される。本発明の溶液は他の眼科用溶液とは別個に使用し、あるいは洗浄溶液、コンディショニング溶液、または消毒溶液に混合することも考えうるので、既存の手順に従う上で役に立ち、所望の予防結果を得るために、余分な溶液、製品、あるいはケアステップを加える必要がない。
【００１９】
本発明のコンタクトレンズ用のコンディショニング溶液は、第二級ヒドロキシル基で終端するポリオキシエチレン/ポリオキシプロピレン非イオン性界面活性剤を含む。
【００２０】
第二級ヒドロキシル基で終端するポリオキシエチレン/ポリオキシプロピレン非イオン性界面活性剤は、液剤中で耐性がある界面活性剤である。そのような界面活性剤は、界面活性剤の末端上の第二級ヒドロキシル基の存在によって、疎水性の（親油性の）表面に対して高い親和性を示す。したがって、これらの界面活性剤は、コンタクトレンズの疎水部表面に強力に付着し、その表面を親水性にする。この付着によって、起こりうる吸収に対する「障害」が形成され、それらをレンズ表面から遠ざける。さらに、親水性の増大は同時に、タンパク質や脂質の吸収に対する熱力学的駆動力を減少させ、それによって、涙膜沈着物の発生を遅らせる。
【００２１】
先行技術の教示とは対照的に、まさに親水性―親油性バランス（ＨＬＢ）が７より大きい界面活性剤が、本発明のコンディショニング溶液への使用には好ましいことが、驚きをもって発見された。好ましくは、界面活性剤のＨＬＢは７〜１８の間にあり、最も好ましくは約１２である。
【００２２】
界面活性剤のＨＬＢは非イオン性界面活性剤の乳化特性を決定する上で主要要素であることは既知である。概して、低ＨＬＢ値の界面活性剤がより親油性であるのに対して、高ＨＬＢ値の界面活性剤はより親水性である。第二級ヒドロキシル基で終端するさまざまなポリオキシエチレン/ポリオキシプロピレン非イオン性界面活性剤のＨＬＢ値が、本明細書において参照のために引用された出版商用文献中で、BASF Performance Chemicalsによって与えられている。
【００２３】
そのような界面活性剤は、第二級ヒドロキシル基で終端するポリオキシエチレン/ポリオキシプロピレン縮合重合体である。それらは、酸化エチレンをエチレングリコールに調節して添加することで、まず所望の分子量の親水性（ポリオキシエチレン）を作り出すことによって、合成することができる。その合成の第二ステップでは、酸化ポリプロピレンが添加され、分子の外側に疎水性ブロックが作り出される。そのようなブロックコポリマーは、PLURONIC（登録商標）Ｒの商標のもとで、BASF Corporationから商業的に得ることができる。
【００２４】
同じく本発明の発明者による国際公開ＷＯ０２/２６９２２号は、過酸化水素、および第二級ヒドロキシル基で終端するポリオキシエチレン/ポリオキシプロピレンブロックコポリマーを含有する消毒溶液を開示している。その界面活性剤は、過酸化水素の抗菌特性を向上させると教示されている。上述の出願とは対照的に、過酸化水素は本発明においては必要要素ではなく、好ましくは、本発明の溶液から実質的に外される。実際、そのような剤がある実施形態において存在することは可能だが、本発明の溶液は好ましくは過酸化水素、第四アンモニウム剤、重合体ビグアニド、塩化ベンザルコニウム、およびチメロサールなどの抗菌剤の消毒有効（殺菌）量を実質的に含まない。しかし、好ましい溶液は、防腐剤（静菌性）のような、非消毒量のそのような剤を含有しうる。さまざまな抗菌剤の正確な殺菌量および静菌量は、当業者によって容易に決定されるが、非制限的な例として、過酸化水素の防腐量が一般に１０ppm〜０．１％の間にあるのに対して、消毒量は一般に１％よりは大きいことに留意すべきである。
【００２５】
好ましい界面活性剤は、以下の式を有する酸化エチレンおよび酸化プロピレンのブロックコポリマーである。
【００２６】
【化１】
2005516899.tif 000002
【００２７】
式中、ｘおよびｙは前記コポリマーの酸化ポリエチレンブロックおよび酸化ポリプロピレンブロックをそれぞれ表す１〜３５０までの整数である。ブロックコポリマーのポリオキシエチレン成分は、ブロックコポリマーの１０〜９０重量％を構成している。好ましくは、ブロックコポリマーのポリオキシエチレン成分は、ブロックコポリマーの１０〜５０重量％を構成している。本発明の別の好ましい実施形態においては、ブロックコポリマーのポリオキシエチレン成分は、ブロックコポリマーの５０重量％未満を構成している。最も好ましくは、ブロックコポリマーのポリオキシエチレン成分は、ブロックコポリマーの約４０重量％を構成している。
【００２８】
界面活性剤の全分子量は１０００〜２００００であることが好ましい。より好ましいのは、分子量が１２００〜３１００である界面活性剤である。最も好ましいのは、分子量が約２６５０である界面活性剤である。
【００２９】
界面活性剤成分の量は、たとえば特定の界面活性剤あるいは使用される界面活性剤、組成物中のその他の成分などの多くの要素によって、広範囲に変化する。しばしば、その量は０．０００５〜２０％の範囲内にあり、好ましくは０．０１〜０．５％の範囲内にある。概して、界面活性剤量は＞０．８％〜２０％の範囲内にあり、好ましくは＞０．８％〜１０％の範囲内にあり、より好ましくは＞０．８％〜５％の範囲内にある。
【００３０】
これらのブロックコポリマーにおける親水セグメントおよび疎水セグメントの連鎖ならびに構成比により、界面活性剤の特性における重大な違いが導かれる。この界面活性剤は、好ましくは２０℃において液体である。ポリオキシプロピレンブロックの分子量は、好ましくは１２００〜３１００である。好ましくは、ポリオキシプロピレンブロックの分子量は、１０００〜２５００である。最も好ましくは、ポリオキシプロピレンブロックの分子量は、おおよそ１７００である。申し分のない界面活性剤  PLURONIC（登録商標）Rの、非制限的な例には、具体的には、次のようなものが含まれる。PLURONIC（登録商標）31R1、PLURONIC（登録商標）31R2、PLURONIC（登録商標）25R1、PLURONIC（登録商標）17R1、PLURONIC（登録商標）17R2、PLURONIC（登録商標）12R3である。とりわけ良好な結果は、界面活性剤PLURONIC（登録商標）17R4によって得られる。
【００３１】
一連のPLURONIC（登録商標）Rにおける名称の中ほどにある文字‘R’は、この製品がPLURONIC（登録商標）という製品と比較すると逆の構造を有していること、すなわち親水成分（酸化エチレン）が酸化プロピレンブロックによってはさまれ、界面活性剤が第一級ヒドロキシル基ではなく、第二級ヒドロキシル基で終端することを示している。‘R’に先行する数字による名称は、１００倍されて、酸化プロピレンブロックのおおよその分子量を示す。‘R’に続く数字は、１０倍されて、その製品中の酸化エチレンのおおよその重量パーセントを示す。
【００３２】
平均的な当業者であれば、本発明の溶液の界面活性剤が一つ以上の他の界面活性剤とともに使用することができることを理解できるであろうが、唯一の界面活性剤として、第二級ヒドロキシル基で終端するポリオキシエチレン/ポリオキシプロピレンブロックコポリマーを使用することが好ましい。
【００３３】
コンディショニング溶液は眼に対して適合性を有し、ハードコンタクトレンズ、酸素透過性ハード（ＲＧＰ）コンタクトレンズ、およびソフトコンタクトレンズに使用することができる。活性成分は、多くの担体媒質のいずれにも存在しうる。たとえば、その溶液は、防腐剤または消毒剤の有無にかかわらず、浸漬コンディショニング溶液に使用しうる。
【００３４】
本発明の組成物は、好ましくは緩衝剤を含有する。緩衝剤は、好ましくは、たとえば、生理的に受容される範囲の約４、約５または約６〜約８、約９または約１０の範囲などの望ましい範囲内にそのpHを維持する。とりわけ、その溶液のpHは，好ましくは５．５〜８である。緩衝剤は無機または有機塩基から選択される。好ましくは、塩基性酢酸塩、リン酸塩、ホウ酸塩、クエン酸塩、硝酸塩、硫酸塩、酒石酸塩、乳酸塩、炭酸塩、重炭酸塩、トリス、トリス誘導体、脂肪酸塩、およびその混合物であり、より好ましくは、塩基性リン酸塩、ホウ酸塩、クエン酸塩、酒石酸塩、炭酸塩、重炭酸塩、およびその混合物である。典型的には、緩衝剤は０．００１〜２％の量で存在し、好ましくは０．０１〜１％であり、最も好ましくは０．０５〜０．３０％である。
【００３５】
緩衝剤成分は、好ましくは、たとえば一塩基リン酸塩、二塩基リン酸塩などの組み合わせのような、一つ以上の緩衝剤を含有している。とりわけ有用なリン酸塩の緩衝剤は、アルカリおよび/またはアルカリ土類金属のリン酸塩から選択される。最適なリン酸塩の緩衝剤の代表例は、一つ以上の二塩基リン酸塩ナトリウム（Ｎａ2ＨＰＯ4）、一塩基リン酸塩ナトリウム（ＮａＨ2ＰＯ4）、および一塩基リン酸塩カリウム（ＫＨ2ＰＯ4）を含有する。
【００３６】
本発明は、液体の状態、ゲルに近い状態、またはゲル状態で処方される。平均的な当業者は、本開示によってなされた処方が各状態を達成する上で最適であることを容易に理解するであろう。好ましい状態は液体の状態である。
【００３７】
本発明の溶液は、好ましくは、液体媒質に望ましい張度を与える有効量の張度成分を含有している。そのような張度成分は溶液中に存在することもでき、および/または溶液中に導入することもできる。使用しうる最適な張度調節成分には、種々の無機塩のような、コンタクトレンズケア製品に従来使用されているものがある。塩化ナトリウムおよび/または塩化カリウムなどは非常に有用な張度成分である。含有された張度成分の量が、溶液に対して望ましい程度の張度を与える上で効果的である。そのような量は、たとえば０．４％〜１．５％（w/ｖ）の範囲内にあることができる。塩化ナトリウムと塩化カリウムとの組み合わせが用いられるならば、塩化カリウムに対する塩化カリウムとの組み合わせが用いられるならば、塩化カリウムに対する塩化ナトリウムの重量比は３〜６または８の範囲内にあることが好ましい。好ましい張度成分は、０．５０〜０．９０％の範囲内で存在する塩化ナトリウム、またはその同等物である。
【００３８】
本発明に使用する上で典型的な張度増強剤は、眼の組織に適合性のある適切な水溶性塩、好ましくはアルカリまたはアルカリ土類金属ハロゲン化物、ソルビトール、マンニトールのような有機ポリオール、硫酸塩、硝酸塩、炭酸塩、ホウ酸塩およびリン酸塩、より好ましくは塩化ナトリウムまたは塩化カリウムを含む。張度増強剤は、５０〜４００mosmol/kg、もっとも好ましくは２５０〜３５０mosmol/kgの容量規定の張度を与えるのに十分な量で存在する。非コンタクトレンズ洗浄が望ましい使用であるとき、張度増強剤は存在しなくてもよいし、上述したよりも大きな量で存在してもよい。
【００３９】
レンズは溶液中に浸漬させることによって、界面活性剤をレンズ表面および/または内部基質に吸着させることができる。代替的には、溶液は、点眼溶液内に投入することができる。この場合、防腐剤または消毒剤を含有させることもできるし、含有させないこともできる。この点眼溶液はレンズを眼に装着したまま利用する。更に、コンディショニング溶液は、コンタクトレンズ洗浄溶液内に投入することができる。この場合、界面活性剤が加えられる一方で、レンズは洗浄される。この型の製剤においては、界面活性剤も洗浄用に使用することができ、その他の洗浄剤が更に供給される必要がない。したがって、本発明のその実施形態は、追加的な利点を与えるものとなる。
【００４０】
例
個々の成分（g単位）を一緒に混ぜ合わせることにより、一定量の以下の液状組成物を調製した。
【００４１】
【表１】
2005516899.tif 000003
【００４２】
得られた水溶液は、リン酸ナトリウム、一塩基性（一水和物）０．０７７２％、リン酸ナトリウム、二塩基性（無水）０．１５５５％、塩化ナトリウム０．７９％、およびPLURONIC（登録商標）17R4０．０５％。を含有する水溶液であった。pHをリン酸によって、６．３〜６．６の間に調節した。
【００４３】
本発明は、読者が不適切な実験を行わずに本発明を実施することができるように、一定の好ましい実施形態を参照して、詳細に説明された。しかし、平均的な当業者であれば、多くの成分や係数を、本発明の範囲および精神から逸脱することなく、ある程度まで変更または修正しうることが容易に理解できるであろう。更に、発明の名称、見出し、定義などは、この明細書に対する読者の理解を増すために与えられているものであり、本発明の範囲を限定するものと解釈されるべきではない。したがって、本発明に対する知的財産権は、請求の範囲ならびにその妥当な拡張および同等物によって定義される。
【国際調査報告】
2005516899.tif 000004
2005516899.tif 000005
2005516899.tif 000006